(57)【要約】【課題】屈曲点において回動可能なフィーダハウジング及びこれに内装されるコンベアを具備する搬送装置において、刈り取った穀稈のより良好な搬送の実現を図ろうとするものである。【解決手段】汎用コンバインの搬送装置９に内装される無端状のコンベアを前コンベア４１と後コンベア４２とで構成し、これらを前後方向に配置し、それぞれの搬送速度を前コンベア４１、後コンベア４２、脱穀装置１８に具備される脱穀回転体である第一ロータ２１（または扱胴３７）の順に速くなるような構成とした。【選択図】      図４
2004248587.tif 000002
【特許請求の範囲】
【請求項１】
穀稈を刈り取る刈取装置と、刈り取った穀稈を脱穀する脱穀装置と、刈取装置で刈り取った穀稈を脱穀装置へ搬送するための搬送装置とを具備し、該搬送装置を搬送経路の途中に設けた中間屈曲点において屈曲用回動軸で回動可能に構成したコンバインにおいて、前記搬送装置に内装される無端状のコンベアを前コンベアと後コンベアとで構成し、これらを前後方向に配置したことを特徴とするコンバイン。
【請求項２】
前記屈曲用回動軸を前記前コンベアの後部支持軸と、前コンベアの駆動軸とを兼用したことを特徴とする請求項１記載のコンバイン。
【請求項３】
前記後コンベアの搬送速度を、前記前コンベアの搬送速度より速く、また、前記脱穀装置に具備される脱穀回転体による搬送速度未満としたことを特徴とする請求項１または請求項２記載のコンバイン。
【発明の詳細な説明】
【０００１】
【発明の属する技術分野】
本発明は、汎用コンバインにおいて、刈取装置で刈り取った穀稈を脱穀装置へ搬送するための搬送装置の構造に関する。
【０００２】
【従来の技術】
従来、汎用コンバインでは、走行する機体の前部に刈取装置が備えられ、機体上部に脱穀装置が備えられ、刈取装置と脱穀装置との間に刈取装置で刈り取った穀稈を脱穀装置まで搬送するための搬送装置が備えられている。そして、コンバインを操縦する運転部は機体の前部に設けられている。
【０００３】
上述のような搬送装置としては、刈取装置の後部から脱穀装置の入口まで連続する搬送用のコンベアを設け、該コンベアをフィーダハウジング（搬送筒）に内装している。そして、このフィーダハウジングの前部には刈取装置が連結されており、後部は脱穀装置を内装する筐体に上下回動可能に支承され、前記刈取装置を昇降可能としている。
こうした搬送装置において、フィーダハウジングを前後方向中途部に屈曲部を設けることによって、機体のコンパクト化を図ったり、穀稈の搬送状態を良好にしたりする技術が公知となっている（例えば、特許文献１参照。）。
【０００４】
また、上述のように屈曲したフィーダハウジングを前後二分割し、該前後中途部に設けた屈曲点において、前方のフィーダハウジングを回動可能な構成とすることによって、コンパクトな機体や良好な操縦性を実現した技術も本出願人により特願２００２−２９２９１５号により提案されている。
【０００５】
【特許文献１】
特開平６−３４３３２６号公報
【０００６】
【発明が解決しようとする課題】
しかし、前記従来の搬送装置におけるコンベアでは、屈曲部近傍にコンベアの緊張を保持するための押圧部材が設けられているが、コンベアを回動した際の張力変化などによりコンベアに負荷がかかり、摩耗などが懸念されている。また、刈取装置を上方に回動したときなど、搬送経路の屈曲部近傍では、直線部と比べて搬送される穀稈がつまり易い状況にあった。
そこで本発明は、屈曲点において回動可能なフィーダハウジング及びこれに内装されるコンベアを具備する搬送装置において、刈り取った穀稈のより良好な搬送の実現を図ろうとするものである。
【０００７】
【課題を解決するための手段】
本発明の解決しようとする課題は以上の如くであり、次にこの課題を解決するための手段を説明する。
【０００８】
即ち、請求項１においては、穀稈を刈り取る刈取装置と、刈り取った穀稈を脱穀する脱穀装置と、刈取装置で刈り取った穀稈を脱穀装置へ搬送するための搬送装置とを具備し、該搬送装置を搬送経路の途中に設けた中間屈曲点において屈曲用回動軸で回動可能に構成したコンバインにおいて、前記搬送装置に内装される無端状のコンベアを前コンベアと後コンベアとで構成し、これらを前後方向に配置したものである。
【０００９】
請求項２においては、前記屈曲用回動軸を前記前コンベアの後部支持軸と、前コンベアの駆動軸とを兼用したものである。
【００１０】
請求項３においては、前記後コンベアの搬送速度を、前記前コンベアの搬送速度より速く、また、前記脱穀装置に具備される脱穀回転体による搬送速度未満としたものである。
【００１１】
【発明の実施の形態】
次に、発明の実施の形態を説明する。
図１は本発明の第一実施例に係るコンバインの全体的な構成を示す側面図、図２は同じく全体的な構成を示す平面図、図３は同じく脱穀・選別部を示す側面図、図４は同じく搬送装置を示す側面図、図５は同じく平面図である。
図６は本発明の第二実施例に係るコンバインの全体的な構成を示す側面図、図７は同じく全体的な構成を示す平面図、図８は同じく脱穀・選別部を示す側面図、図９はキャビンフレームを示す斜視図である。
【００１２】
まず、本発明の第一実施例に係るコンバインの全体構成について図１乃至図３を用いて説明する。
本実施例に係るコンバインには、クローラ式走行装置１上に機体フレーム１３が配設され、該機体フレーム１３上に脱穀装置１８や選別装置１９から成る脱穀・選別部を内装する筐体３３が配置され、該筐体３３の後部にエンジン２６等を収納するエンジンルーム１４等が配設されている。
筐体３３の上には、穀粒を一時的に貯溜するグレンタンク３０が配設され、該グレンタンク３０よりその内部に貯溜された穀粒を排出するための排出オーガ４０が機体後部から前方にかけて備えられている。
【００１３】
前記筐体３３の前方には刈取装置８が配置され、該刈取装置８の後端と筐体３３前上部に設けられた脱穀装置１８の全部入口が搬送装置９によって連通され、該搬送装置９は機体略左右中央に配設されている。
さらに、前記搬送装置９の上方には運転席１５や操向ハンドル１６等を収納したキャビン１７が配設され、該キャビン１７は機体左右略中央前方の上方に配置され、左右両側より乗降可能とされている。
【００１４】
前記刈取装置８は、搬送装置９の構成部材であるフィーダハウジング１０の前部に連結されたプラットホーム２内部に横架され支承された横送りオーガ３と、該横送りオーガ３の前下部に備えられた刈刃４と、プラットホーム２上方に設けられた掻き込み用のリール５等で構成されている。
【００１５】
前記横送りオーガ３は、進行方向と直交する方向に回転軸を有し、該横送りオーガ３には、その回転によってプラットホーム２の左右略中央後部に連結されたフィーダハウジング１０へ刈り取った穀稈が送られるように螺旋（スクリュー）が形成されている。また、プラットホーム２の左右両側の前端には、分草板７・７が設けられ、プラットホーム２の後部の左右両側にはリール５を横架した支持アーム６の後部が支持され、該支持アーム６の左右一側にはリール５回転駆動用のベルトやプーリ等からなる動力伝達機構が設けられている。該リール５は、支持アーム６とプラットホーム２との間に介装されたアクチュエータとしての油圧シリンダ２９によって昇降される。
【００１６】
前記搬送装置９は、フィーダハウジング１０と、該フィーダハウジング１０内に前後方向に配設された無端状の前コンベア４１と後コンベア４２とで構成されている。
前記フィーダハウジング１０の前端は、前記横送りオーガ３のスクリューの送り終端位置に合わせて、前記プラットホーム２の後部に連通されている。また、フィーダハウジング１０の後端は、脱穀装置１８への投入口１２（図４）に連通されており、該投入口１２の後方には進行方向に対し略直角方向に回転軸心を有する第一ロータ２１が配設されており、穀稈は前記前コンベア４１及び後コンベア４２によって強制的に脱穀装置１８の第一ロータ２１へ搬送される。
【００１７】
前記フィーダハウジング１０の後部は、脱穀・選別部を内装する筐体３３の前部に挿入され、前部のフィーダハウジング１０の下面と機体フレーム１３との間に油圧シリンダ３２を介装して、刈取装置８が昇降可能とされている。
【００１８】
前記脱穀・選別部は筐体３３内部に配設され、刈取装置８により刈り取られ、搬送装置９により搬送されてきた穀稈を脱穀する脱穀装置１８と、該脱穀装置１８により脱穀された穀粒を選別する選別装置１９とで構成されている。
【００１９】
図３に示すように、前記脱穀装置１８は、脱穀回転体である第一ロータ２１と第二ロータ２２と受網２３・２４等からなり、前記筐体３３上部に収納されている。前記第一ロータ２１と第二ロータ２２は略同じ形状に構成されており、筒の外周には、周囲に図示せぬ複数の扱歯を有するスクリュー２１ａ・２２ａが設けられ、軸心は左右水平方向に向けられて、前後方向に配置されている。
【００２０】
前記第一ロータ２１と第二ロータ２２の下方には、それぞれ受網２３・２４が配置され、第一ロータ２１と第二ロータ２２の上方はそれぞれ上部カバー３５・３６によって覆われ、前ロータ室と後ロータ室が構成されている。
また、第一ロータ２１下方の受網２３右側の後部は、前低後高に緩やかな円弧状の傾斜が形成され、第二ロータ２２の上外周の接線方向に向かって延出されて連通部２３ａが形成され、該連通部２３ａ後端は第二ロータ２２の回転軌跡の前端部近傍まで延出されている。さらに、前記受網２４の左後部に排出口２４ａが開口されている。
【００２１】
前記上部カバー３５・３６の水平状に成形した上部の内周面には、送塵弁５９・５９・・・が左右幅方向に適宜間隔を開けて設けられ、上部カバー３５・３６上部に上下方向の回動支点を中心に回動自在に枢支されており、該送塵弁５９・５９・・・を回動操作することによって、穀稈が第一ロータ２１及び第二ロータ２２内を移動する時間を穀稈の品種や状態に合わせて調整可能とされ、脱穀装置１８の汎用性が高められている。
【００２２】
また、第一ロータ２１のスクリュー２１ａは、第一ロータ２１の左端より連通部２３ａの直左側までの間に形成され、連通部２３ａ前方の第一ロータ２１外周面には第一ロータ２１の半径方向に突出する板状の送り羽根２１ｂ・２１ｂ・・・（図２）が形成されている。同様に、第二ロータ２２のスクリュー２２ａは第二ロータ２２の右端部より排出口２４ａの直右側までの間に形成され、スクリュー２２ａ終端部より左側の排出口２４ａ前方の第二ロータ２２外周面に送り羽根２２ｂ・２２ｂ・・・が形成され、脱穀後の排藁（排稈）が送り羽根２２ｂ・２２ｂ・・・（図２）により送られて排出口２４ａより排出される。
【００２３】
このような構成において、フィーダハウジング１０から投入口１２へ穀稈が搬送されると、この穀稈は第一ロータ２１の回転によって右方へ搬送されながら脱穀される。そして、第一ロータ２１の右端に至ると緩やかな傾斜状に形成した連通部２３ａから第二ロータ２２の脱穀空間に送られ、第二ロータ２２の回転によって左方へ搬送されながら脱穀され、第二ロータ２２の左端に送られると、排出口２４ａより落下する。
【００２４】
該排出口２４ａ下部から後下方にはガイドプレート６０が延出され、該ガイドプレート６０後部の上方とエンジンルーム１４底面との間の位置には、強制的に排稈を後方に送り出す排稈ビータ６１が設けられている。
前記排稈ビータ６１は、左端部が排出口２４ａの左端部と一致し、排稈ビータ６１の右端部は排出口２４ａ右端部よりさらに右側に延出され、排出口２４ａより排出された排稈は後方に左右幅広く搬送される。排稈ビータ６１後方には、機体後端部に左右に全幅に渡ってチョッパー式のスプレッダー６２が横架され、排出口２４ａより排出されて排稈ビータ６１によってスプレッダー６２まで搬送された排藁は、該スプレッダー６２の複数の鉈状の刃によって切断され、機体後端部より圃場に排出される。
【００２５】
一方、前記脱穀・選別部において、脱穀装置１８の下方には選別装置１９が配設されている。
図３に示すように、選別装置１９は、流穀板２５、揺動本体２０、プレファン３４、選別風を発生させる唐箕２７、選別された一番物を左右方向に搬送する一番コンベア２８、二番物を搬送する二番コンベア３１等より構成され、脱穀装置１８から落下した脱穀物を選別できるようにしている。
【００２６】
次に、本発明に係る前記搬送装置９の詳細について説明する。
図４及び図５に示す如く、フィーダハウジング１０は、前部の前ハウジング７０と後部の後ハウジング７１は屈曲点８９で回動可能に連結されている。そして、本発明の特徴として、前記フィーダハウジング１０内に内装されているコンベアが、前コンベア４１と後コンベア４２とに屈曲点８９近傍で二分割された構造となっている。
【００２７】
前記前ハウジング７０の前部には刈取装置８の構成部材である前記プラットホーム２が連結され、前ハウジング７０内部とプラットホーム２出口が連通されている。そして、前ハウジング７０内の前部に左右水平方向に回動可能に横架された前従動軸７３に、前コンベア４１をガイドするガイドローラ７４が外嵌されている。
【００２８】
また、前ハウジング７０の後部には、前駆動軸であり、前コンベア４１の後部を支持する支軸７５が左右水平方向に回動可能に横架され、該支軸７５にガイドローラ７６・７６が外嵌固定されている。さらに、支軸７５は前ハウジング７０より左右両外側に延出され、この延出部分の一側（本実施例では右側）にスプロケット７７、他側（本実施例では左側）にスプロケット７８がそれぞれ外嵌固定されている。そして、前ハウジング７０に枢支された支軸７５を支承している支承部材７９・７９が、筐体３３に固設されらステー８０・８０に回動可能に支承されている。
【００２９】
一方、後ハウジング７１は、その前部が前ハウジング７０の後部に挿入され、その後部が筐体３３に挿入された状態に配置されており、後ハウジング７１の底部は、供給板８１で構成されている。供給板８１は、筐体３３内部に固定され、前ハウジング７０の後端から、第一ロータ２１の前下方に亘って連続する板状部材であって、前コンベア４１及び後コンベア４２によって搬送される穀稈は、該供給板８１の上方を通過して第一ロータ２１に導かれる。
【００３０】
後ハウジング７１の前部において、後コンベア４２の前部支持軸にあたる支持軸４３が左右水平方向に回動可能に横架され、該支持軸４３にガイドローラ４６・４６が遊嵌されている。そして、該支持軸４３の左右一側（本実施例では左側）が後ハウジング７１の外側に延出され、この延出部分にスプロケット４４・４５が一体的に外嵌されている。また、後ハウジング７１の後部において、後駆動軸８２が回動可能に左右水平方向に横架され、後ハウジング７１内の該後駆動軸８２両側にスプロケット９０・９０が外嵌固定されている。そして、該後駆動軸８２の左右一側（前記支持軸４３延出部分と同じ側）が後ハウジング７１よりも外側に延出され、この延出部分にスプロケット８３とプーリ８４が外嵌固定されている。
【００３１】
従って、エンジン２６からの動力が、クラッチ等を介してプーリ８４に巻回された伝動ベルト（図示せず）により後駆動軸８２に伝達され、さらに、後駆動軸８２のスプロケット８３と支持軸４３のスプロケット４４に巻回されたチェン８５によって後駆動軸８２の回動が支持軸４３に伝達され、該支持軸４３のスプロケット４５と、支軸７５のスプロケット７８に巻回されたチェン４７によって支持軸４３の回動が支軸７５に伝達される。そして、支軸７５のスプロケット７７と前ハウジング７０の前側部に回動可能に支承された伝動軸８６に外嵌されたスプロケット８７とに巻回されたチェン８８によって、支軸７５へ伝達された動力が該伝動軸８６によって刈取装置８へと伝達され、刈刃４や横送りオーガ３等が駆動される。
なお、本実施例の搬送装置９における前コンベア４１及び後コンベア４２動力伝達の機構は、実施形態の例示の一つであり制限的なものではない。
【００３２】
前記後駆動軸８２は、筐体３３内部であって脱穀装置１８の投入口１２近傍に配置される。従って、刈取装置８により刈り取られた穀稈は、脱穀装置１８の投入口１２まで、搬送装置９に内装されている前コンベア４１及び後コンベア４２により直接搬送されることとなる。
【００３３】
前記前コンベア４１は、前記前従動軸７３に外嵌されたガイドローラ７４と支軸７５のガイドローラ７６・７６に亘って巻回された左右のチェン４１ａ・４１ａと、左右のチェン４１ａ・４１ａ間に架設されたスラット４１ｂ・４１ｂ・・・とで構成されている。また、後コンベア４２も同様に、支持軸４３のガイドローラ４６・４６と、後駆動軸８２に外嵌されたスプロケット９０・９０に亘って巻回された左右のチェン４２ａ・４２ａと、左右のチェン４２ａ・４２ａ間に架設されたスラット４２ｂ・４２ｂ・・・とで構成されている。
【００３４】
上述の如く構成されたフィーダハウジング１０は、後ハウジング７１は固定され、前ハウジング７０が支軸７５を中心として回動可能である。すなわち、前コンベア４１の後部支持軸である支軸７５の位置またはこの近傍に別途設けた回動軸を屈曲用回動軸とし、フィーダハウジング１０全体として前後中途部において屈曲することが可能となっている。この支軸７５の位置及びこの近傍を屈曲点８９とする。
そして、前ハウジング７０の下面に設けられたステー７０ａには、アクチュエータとしての油圧シリンダ３２のピストンロッド３２ａの端部が支承されており、その基部を機体フレーム１３に支承された油圧シリンダ３２によるピストンロッド３２ａの伸縮によって、前ハウジング７０が昇降駆動される。この前ハウジング７０は、最下降位置は後ハウジング７１と略一直線上になる位置とし、最上昇位置はフィーダハウジング１０の上方に配置されたキャビン１７に当接する手前の位置として回動することが可能である。
【００３５】
そして、前従動軸７３に遊嵌されたガイドローラ７４と、支軸７５のガイドローラ７６・７６には前コンベア４１が巻回され、支持軸４３のガイドローラ４６・４６と後駆動軸８２に外嵌されたスプロケット９０・９０には後コンベア４２が巻回されている。該前コンベア４１及び後コンベア４２の下方と、箱状に形成されたフィーダハウジング１０の下面との間が穀稈の搬送経路となる。
【００３６】
また、この穀稈の搬送経路において、前コンベア４１と後コンベア４２の間の部分には、該前コンベア４１及び後コンベア４２がそれぞれ回転したときに、それぞれのコンベアに架設されているスラットが届かない空間を埋めるために側面視山型の補助体４９がフィーダハウジング１０の下面、即ち後ハウジング７１の下面に、左右方向にかけて設けられている。
該補助体４９は、その左右方向の長さを、少なくとも前コンベア４１及び後コンベア４２にそれぞれ架設されているスラットよりも長く、また、フィーダハウジング１０の屈曲点８９における回動に支障がない形状であり、この回動を妨げない位置に設けられている。
【００３７】
つまり、前記補助体４９を設けることによって、穀稈の搬送経路の、前コンベア４１と後コンベア４２の間、即ち屈曲点８９近傍において、刈り取った穀稈が搬送されずに残ることのないような構造となっている。
【００３８】
なお、前記補助体４９を設ける代わりに、前ハウジング７０及び後ハウジング７１の形状を、これら前ハウジング７０及び後ハウジング７１によって形成される搬送経路が、該補助体４９を設けた状態と同様の効果を有する形状とすることもできる。
【００３９】
また、屈曲点８９に位置する支軸７５に外嵌されたガイドローラ７６・７６及び支持軸４３に外嵌されたガイドローラ４６・４６をスプロケットでなくローラとしているのは、フィーダハウジング１０の下面である搬送面と、前コンベア４１及び後コンベア４２との間隙の小さい屈曲点８９において、搬送される穀稈が噛み合うことを防止するためである。
【００４０】
このように構成された搬送装置９では、フィーダハウジング１０内に配設されるコンベアを、前コンベア４１と後コンベア４２とに二分割し、屈曲点８９より後方は固定され、前方は該屈曲点８９に設けられた、前コンベア４１の後方を支持する支軸７５を中心として回動することとなる。すなわち、搬送装置９の搬送経路は屈曲点８９で屈曲することとなる。
そして、屈曲用回動軸である支軸７５は、刈取装置８の昇降用回動支点でもあり、刈取装置８の回動支点が、搬送装置９を屈曲可能に構成しないときと比較して前方に位置することとなる。
【００４１】
なお、本実施例においては、支軸７５に、前ハウジング７０と後ハウジング７１との連結軸としての機能と、前コンベア４１の後部支持軸としての機能を兼用させているため、刈取装置８の昇降用回動支点は該支軸７５となるが、前ハウジング７０と後ハウジング７１との連結軸を屈曲点８９近傍に別途設け、この連結軸をフィーダハウジング１０の屈曲用回動軸、即ち刈取装置８の昇降用回動支点とすることもできる。
【００４２】
このように搬送装置９において、フィーダハウジング１０に内装されるコンベアを前コンベア４１と後コンベア４２とに二分割したことで、フィーダハウジング１０の屈曲点８９における回動によって生じるコンベアの張力変化や弛みを防止でき、それぞれのコンベアの張力を一定に保つことが可能となり、このフィーダハウジング１０の回動によるコンベアの動き代も減らすことができる。よって、コンベアにかかる負荷を低減でき長期使用にも耐えることができる。
【００４３】
また、搬送経路の中途部に位置する屈曲点８９において屈曲可能とし、該屈曲点８９に刈取装置８の昇降用回動支点を配設することにより、刈取装置８の昇降用回動支点の高さ位置を、従来の構造と比較して前方かつ下方に配設することが可能となるので、刈取装置８と脱穀装置１８との高低差が大きい場合でも、昇降用回動支点の上方に設けられるキャビン１７を、地面から高くすることなく配置することができる。
【００４４】
また、搬送装置９は、該搬送装置９の前後中途部に設けられた屈曲点８９において屈曲するため、該屈曲点８９を刈取装置８の昇降用回動支点とすることによって、該昇降用回動支点を従来と比較してより前方に位置させることが可能となり、刈取装置８の昇降用回動支点から刈取装置８までの距離を短くすることができる。よって、刈取装置８の回動半径が短縮されるので、該刈取装置８を上下昇降させるために必要なスペースが省かれ、機体のコンパクト化が図れる。
【００４５】
さらに、搬送装置９の後端位置と刈取装置８の昇降用回動支点が必ずしも等しい位置にある必要はないので、搬送装置９の後端位置の自由度が高まり、脱穀装置１８を内装する筐体３３内部であって脱穀装置１８への投入口１２寸前に搬送装置９の後端を配置することを可能としている。
【００４６】
ところで、上述した後コンベア４２の前部を支持する支持軸４３の延出部分に外嵌されたスプロケット４５は、その歯数が支軸７５に外嵌されたスプロケット７８の歯数より少ないものが用いられている。そうすることによって、支持軸４３の回転速度に対する支軸７５の減速比が下がる。つまり、後コンベア４２の搬送速度より前コンベア４１の搬送速度が下がる構造となっている。さらに、後コンベア４２の搬送速度は、脱穀回転体である前記第一ロータ２１の搬送速度（周速）よりも遅くなるように調整されている。
言い換えると、前記前コンベア４１の搬送速度をｖ１、後コンベア４２の搬送速度をｖ２、第一ロータ２１の搬送速度（周速）をｖ３とすると、ｖ１＜ｖ２＜ｖ３を満たす速度関係となっている。
【００４７】
このような構造にすることによって、前コンベア４１、後コンベア４２、第一ロータ２１と搬送経路下流側（脱穀装置１８側）に行くに従い搬送速度がはやくなっているので、刈取装置８によって刈り取られた穀稈が搬送経路の途中で滞留することが少なくなり、搬送装置９において穀稈などの詰まりの発生が防げ、より円滑な搬送作業が可能となる。
【００４８】
なお、前コンベア４１と後コンベア４２と第一ロータ２１とが前述の速度関係を満たす構造であれば、前記スプロケット４５・７８及びチェン４７を、外径の異なる２つのプーリ及びベルトとしたり、前コンベア４１と後コンベア４２との間に変速ギアを設けたりする構成も可能となる。
【００４９】
次に、本発明の第二実施例に係るコンバインについて説明する。
まず、本実施例におけるコンバインの構成について図６乃至図８を用いて説明する。なお、第一実施例と略同一の形態及び機能を有する部材や装置については同一符合を付して説明を省略する。
【００５０】
本実施例においては、コンバインの脱穀装置１８において、前後方向を軸方向とする扱胴３７を有する機体としており、このコンバインにも本発明に係る搬送装置９が適用可能である。
図８に示すように、本実施例のコンバインでは、脱穀・選別部において、脱穀装置１８の下方に選別装置１９が配設され、脱穀装置１８内には、前後方向にスクリュー型のインペラを周面に付設した脱穀回転体である扱胴３７が配され、穀稈の脱穀を行うようにしている。また、該扱胴３７の下方に受網３８を介して選別装置１９が配設され、脱穀装置１８により脱穀された処理物の選別を行うようにしている。
【００５１】
前記選別装置１９は、チャフシーブ４８を有する揺動本体２０や、該揺動本体２０の下方で流穀板２５上に前側から順に配される唐箕２７、一番コンベア２８、二番コンベア３１等で構成され、前記受網３８から漏下する穀粒の選別を行うようにしている。
また、前記扱胴３７の後部下方には、回転軸に複数の切断刃を植設したチョッパー式のスプレッダー６２を配し、扱胴３７により扱ぎ室後部へ移送される排稈を細かく切断した後に、機体外部へ排出される。
【００５２】
このような構成の脱穀・選別装置を有するコンバインにおいても本発明の搬送装置９は適用可能であり、同様の効果を得ることができる。
そして本実施例においても、第一実施例と同様に、前コンベア４１の搬送速度をｖ１、後コンベア４２の搬送速度をｖ２、脱穀回転体である扱胴３７の搬送速度（周速）をｖ３とすると、ｖ１＜ｖ２＜ｖ３を満たす速度関係となっている。
【００５３】
続いて、キャビン１７の下方に設けられるスライドフレーム５０について説明する。
前述の如く、本発明に係る搬送装置９の構造によって、搬送装置とキャビンを左右に並設した従来のコンバインと同様の高さ位置にキャビン１７を配置しても、キャビン１７の下方に該キャビン１７と干渉することなく搬送装置９が配設される。すなわち、従来のコンバインに対して、機体の全長・全高を変更することなく、刈取装置８で刈り取られた穀稈がキャビン１７の下を通過し、脱穀装置１８の投入口１２に供給されるように構成することができる。従って、コンバインにおけるキャビン１７の配置を容易かつ広範囲に設けることができる効果が得られる。
【００５４】
このような効果を踏まえた上で、キャビン１７を左右方向に移動可能にしたスライドフレーム５０について図９を用いて説明する。
スライドフレーム５０は、前記機体フレーム１３の前部に固設された支持部材であるステップフレーム５１・５１に左右方向に懸架された二本の支持フレーム５３・５３に摺動左右方向に摺動可能に設けられている。
前記ステップフレーム５１・５１は、機体前後方向に向けて略水平方向に延出するフレーム５１ａ・５１ａと、機体フレーム１３・１３の前部から斜め上前方に延設されるフレーム５１ｂ・５１ｂと図示せぬ後部フレームとで側面視略三角形状に組まれており、該フレーム５１ａ・５１ａ間には前記支持フレーム５３・５３がシリンダ５２を間に介して左右方向に架設されている。
【００５５】
前記スライドフレーム５０は、円筒状の摺動パイプ５４・５４と、該摺動パイプ５４・５４との間に機体前後方向に架設された支持板５５と、該支持板５５に固設されたピストンロッド５２ａを有するシリンダ５２とから構成される。
【００５６】
前記摺動パイプ５４・５４は、前記フレーム５１ａ・５１ａに懸架されている支持フレーム５３・５３に、摺動可能に挿嵌されており、該摺動パイプ５４・５４間には支持板５５が架設されている。つまり、該摺動パイプ５４・５４と、支持板５５とは平面視略Ｈ字状の形体をなし、これらは一体的に前記支持フレーム５３・５３に摺動可能な構造となっている。
そして、前記摺動パイプ５４・５４の上面部には、ゴム等の防振材５６・５６を設けた取付体が機体前後及び左右方向に均等にそれぞれ配置固定されており、該取付体上にキャビン１７の下部を固定して、キャビン１７に振動が伝わるのを防止しながら取り付けられるようにしている。
【００５７】
前記シリンダ５２は、その一側（基部）が前記ステップフレーム５１のフレーム５１ａ・５１ａの一方（本実施例では右方）の前後略中央部に固設されており、他側、即ち該シリンダ５２に内装されるピストンロッド５２ａの端部は、前記フレーム５１ａ・５１ａの他方の前後略中央部に固設されている。つまり、該シリンダ５２は、前記支持フレーム５３・５３間に介在し、機体左右方向に伸縮するように架設されている。
【００５８】
すなわち、前記スライドフレーム５０上に防振材５６・５６・・・を介して固定されたキャビン１７は、通常機体の略中央部を定位置とするが、排出オーガ４０を上方に動かした状態において、図２及び図７に二点鎖線で示すように、前記シリンダ５２によるピストンロッド５２ａの伸縮によって、機体左右方向に摺動可能となっている。
このキャビン１７の左右摺動作業は、図示せぬアクチュエータ等を介在させることにより、キャビン１７内の作業者から遠隔操作可能となっている。つまり、作業者は、機体に乗車して作業を行っている途中でキャビン１７を左右に移動させることができる。
【００５９】
そして、本発明にかかる搬送装置９の構造から、該搬送装置９はキャビン１７の下方に該キャビン１７と干渉することなく配設されている。すなわち、従来のコンバインに対して、キャビン１７の高さ位置を変更することなく該キャビン１７の左右摺動が可能となっている。したがって、前記スライドフレーム５０でのキャビン１７の摺動可能範囲内においては、任意の位置で該キャビン１７をセットすることができる。
なお、このスライドフレーム５０の摺動範囲は、ステップフレーム５１・５１を設ける幅や、摺動パイプ５４・５４の長さを変えることによって調整することができる。また、本実施例では、スライドフレーム５０をステップフレーム５１・５１側に設けているが、該スライドフレーム５０をキャビン１７側に取り付けて、該キャビン１７を摺動させることも可能である。
【００６０】
このような構造にすることによって、右廻り及び左廻りの刈取作業が可能な汎用コンバインにおいて、旋回方向の畦際での作業に合わせてキャビン１７を移動することができるため、刈取装置８前端の左右両側に設けられた分草板７・７をより見易い位置で作業ができる。よって、作物が倒伏状態にあるときなどでも、ムラのない刈取作業が可能となり、取込ロスの減少が図れる。
【００６１】
また、排出オーガ４０は機体の後方端部に回動支点が配置されており、該排出オーガ４０を上方に動かした状態で回動させたときに死角が生じるが、キャビン１７を左右に移動させることによって、該排出オーガ４０を回動させた位置での排出時の死角を少なくすることもできる。
さらに、機体バック時においても、キャビンを右側または左側に摺動させれば、後方を直接目視することによって確認ができるので、安全性の向上が図れる。つまり、コンバインにおける作業全般に亘って視認性及び作業性の向上が図れ、長時間作業による作業者のストレスが軽減できるのである。
なお、前記スライドフレーム５０の形状等は、本実施例に限定されることなく、キャビンを左右方向に摺動可能な構造であればよく、また、コンバインに限定されず、作業車全般に亘って適用可能である。
【００６２】
【発明の効果】
本発明は、以上のように構成したので、以下に示すような効果を奏する。
【００６３】
即ち、請求項１に示す如く、穀稈を刈り取る刈取装置と、刈り取った穀稈を脱穀する脱穀装置と、刈取装置で刈り取った穀稈を脱穀装置へ搬送するための搬送装置とを具備し、該搬送装置を搬送経路の途中に設けた中間屈曲点において屈曲用回動軸で回動可能に構成したコンバインにおいて、前記搬送装置に内装される無端状のコンベアを前コンベアと後コンベアとで構成し、これらを前後方向に配置したので、搬送装置の屈曲点における回動によって生じるコンベアの張力変化を防止でき、それぞれのコンベアの張力を一定に保つことができる。よって、コンベアにかかる負荷を低減でき長期使用にも耐えることができるのである。
【００６４】
請求項２に示す如く、前記屈曲用回動軸を前記前コンベアの後部支持軸と、前コンベアの駆動軸とを兼用したので、刈取装置の昇降用回動支点である屈曲用回動軸を、搬送装置後端より前方かつ下方に配設することができるようになり、刈取装置と脱穀装置との高低差が大きい場合でも、昇降用回動支点の上方に設けられる運転部を、地面から高くすることなく配置することができ、運転部の配置の自由度が高まる。また、搬送装置の後端位置の自由度も高まる。さらに、刈取装置の回動半径が短縮できるので該刈取装置を上下昇降させるために必要なスペースが省かれ、機体のコンパクト化が図れる。
【００６５】
請求項３に示す如く、前記後コンベアの搬送速度を、前記前コンベアの搬送速度より速く、また、前記脱穀装置に具備される脱穀回転体による搬送速度未満としたので、前コンベア、後コンベア、脱穀回転体である第一ロータまたは扱胴と搬送経路下流側（脱穀装置側）に行くに従い搬送速度が速くなっているので、刈取装置によって刈り取られた穀稈が搬送経路の途中で滞留することが少なくなり、搬送装置において穀稈などの詰まりの発生が防げ、より円滑な搬送作業が可能となる。
【図面の簡単な説明】
【図１】本発明の第一実施例に係るコンバインの全体的な構成を示す側面図。
【図２】同じく全体的な構成を示す平面図。
【図３】同じく脱穀・選別部を示す側面図。
【図４】同じく搬送装置を示す側面図。
【図５】同じく平面図。
【図６】本発明の第二実施例に係るコンバインの全体的な構成を示す側面図。
【図７】同じく全体的な構成を示す平面図。
【図８】同じく脱穀・選別部を示す側面図。
【図９】キャビンフレームを示す斜視図。
【符号の説明】
８  刈取装置
９  搬送装置
１７  キャビン
１８  脱穀装置
２１  第一ロータ
３７  扱胴
４１  前コンベア
４２  後コンベア
５０  スライドフレーム
７５  支軸
８９  屈曲点
【図１】
2004248587.tif 000003
【図２】
2004248587.tif 000004
【図３】
2004248587.tif 000005
【図４】
2004248587.tif 000006
【図５】
2004248587.tif 000007
【図６】
2004248587.tif 000008
【図７】
2004248587.tif 000009
【図８】
2004248587.tif 000010
【図９】
2004248587.tif 000011